(57)【要約】【課題】スチールコード層の両周端部の曲げ剛性が高くなり過ぎるのを抑えつつ、スチールコード層の外側周端部が跳ね上がるのを抑制する。【解決手段】補強層１９の両周端部には、第１補強コード層１４および第２補強コード層１５が互いに非積層状態にある単層部分１９ｃ、１９ｄが各別に形成され、これらの単層部分１９ｃ、１９ｄのうちの少なくとも一方１９ｃは、スチールコード層１３の両周端部１３ａ、１３ｂの外周側に配設されるとともに、該一方の単層部分１９ｃは、スチールコード層１３の外側周端縁１３ｃをクローラ周方向に跨いでいる。【選択図】図３
2010047080.tif 000002
【特許請求の範囲】
【請求項１】
無端帯状のゴムクローラ本体内に、クローラ周方向に延びるスチールコードがクローラ幅方向に複数並べられて埋設されたスチールコード層と、このスチールコード層の外周側に配設されるとともに、クローラ周方向およびクローラ幅方向の双方に対して傾斜する方向に延びる補強コードが複数並べられて埋設された第１補強コード層および第２補強コード層を備える有端帯状の補強層と、が備えられるとともに、前記スチールコード層の両周端部が、ゴムクローラ本体の厚さ方向に重ね合わされて接続されたゴムクローラであって、
前記第１補強コード層および第２補強コード層にそれぞれ埋設された補強コードの各延在方向は、互いに逆向きとされるとともに、これらの両補強コード層それぞれの両周端縁は、当該補強コード層に埋設された前記補強コードの延在方向に沿って延在し、
前記両補強コード層それぞれにおける一方の周端縁同士、および他方の周端縁同士は各別に互いに交差し、かつこれらの両補強コード層のクローラ周方向に沿った長さは、前記スチールコード層のクローラ周方向に沿った長さよりも短くされて、前記一方の周端縁同士と他方の周端縁同士とはクローラ周方向に離れて配置され、
前記補強層の両周端部には、前記両補強コード層が互いに非積層状態にある単層部分が各別に形成され、これらの単層部分のうちの少なくとも一方は、前記スチールコード層の両周端部の外周側に配設されるとともに、該一方の単層部分は、前記スチールコード層の両周端縁のうち外周側に位置する外側周端縁をクローラ周方向に跨いでいることを特徴とするゴムクローラ。
【請求項２】
請求項１記載のゴムクローラであって、
前記単層部分のうちの他方は、前記スチールコード層の両周端部の外周側に配設されるとともに、このスチールコード層の両周端縁のうち内周側に位置する内側周端縁をクローラ周方向に跨いでおり、
前記補強層の両周端部はそれぞれ、前記スチールコード層の両周端部におけるクローラ周方向の中央部を通りクローラ幅方向に延びる仮想線に対して線対称に配置されていることを特徴とするゴムクローラ。
【請求項３】
請求項１または２に記載のゴムクローラであって、
前記ゴムクローラ本体の外周面に複数のラグが突設され、前記スチールコード層の外側周端縁は、ゴムクローラ本体内において前記ラグと対応する位置に配設されていることを特徴とするゴムクローラ。
【請求項４】
請求項１から３のいずれか１項に記載のゴムクローラであって、
前記スチールコード層、第１補強コード層および第２補強コード層それぞれのクローラ幅方向中央部は互いに一致させられるとともに、これらの幅は互いに同等、若しくはスチールコード層の幅が第１補強コード層および第２補強コード層の各幅よりも広くなっていることを特徴とするゴムクローラ。
【発明の詳細な説明】
【技術分野】
【０００１】
本発明は、例えば、油圧ショベル等の建設機械や農機、その他のクローラ式車両に装着されるゴムクローラに関するものである。
【背景技術】
【０００２】
クローラ式車両に装着される左右一対のクローラ式走行体として、駆動輪と従動輪との間に無端帯状にゴムクローラが巻回された構成が知られている。
このゴムクローラのゴムクローラ本体内には、その剛性を高めたり、耐駆動力を高めたりする等のために、クローラ周方向に延びるスチールコードがクローラ幅方向に複数並べられて埋設されたスチールコード層が備えられている。このスチールコード層の両周端部は、ゴムクローラ本体の厚さ方向に重ね合わされて接続されている。
ところで、前述のクローラ式走行体の走行中には、ゴムクローラは、駆動輪および従動輪によりクローラ周方向に引張されることに起因して、スチールコード層の両周端部のうち外周側に位置する外側周端部がクローラ厚さ方向の外側に向けて跳ね上がり、その周端縁に位置するスチールコードの端部が、この端部を覆うゴム材料に大きな負荷を加えてこのゴム材料に亀裂を生じさせるおそれがあった。
このような問題を解決するための手段として、例えば下記特許文献１に示されるように、複数の補強コードが埋設されたカバー体を、スチールコード層の前記外側周端部を外周側から覆うように配設することによって、この外側周端部が前述のように跳ね上がろうとしたときに前記外側周端部を外周側から押さえ込ませるようにした構成が提案されている。
【特許文献１】特開２００１−１０６１３１号公報
【発明の開示】
【発明が解決しようとする課題】
【０００３】
しかしながら、前記従来のゴムクローラでは、スチールコード層の両周端部が位置する部分の中でも特に前記カバー体が配設された重合部分の曲げ剛性が高くなり過ぎることで、走行中に、周回速度が変動し走行方向に揺れが生じて乗り心地性を悪化させたり、あるいはゴムクローラから駆動輪に加えられる負荷が変動し燃費を悪化させたり、さらにはスチールコードに加えられる軸力が変動しその寿命を低下させたりする等の問題があった。
【０００４】
この発明は、このような事情を考慮してなされたもので、スチールコード層の両周端部の曲げ剛性が高くなり過ぎるのを抑えつつ、スチールコード層の外側周端部が跳ね上がるのを抑制することができるゴムクローラを提供することを目的とする。
【課題を解決するための手段】
【０００５】
上記課題を解決して、このような目的を達成するために、本発明のゴムクローラは、無端帯状のゴムクローラ本体内に、クローラ周方向に延びるスチールコードがクローラ幅方向に複数並べられて埋設されたスチールコード層と、このスチールコード層の外周側に配設されるとともに、クローラ周方向およびクローラ幅方向の双方に対して傾斜する方向に延びる補強コードが複数並べられて埋設された第１補強コード層および第２補強コード層を備える有端帯状の補強層と、が備えられるとともに、前記スチールコード層の両周端部が、ゴムクローラ本体の厚さ方向に重ね合わされて接続されたゴムクローラであって、前記第１補強コード層および第２補強コード層にそれぞれ埋設された補強コードの各延在方向は、互いに逆向きとされるとともに、これらの両補強コード層それぞれの両周端縁は、当該補強コード層に埋設された前記補強コードの延在方向に沿って延在し、前記両補強コード層それぞれにおける一方の周端縁同士、および他方の周端縁同士は各別に互いに交差し、かつこれらの両補強コード層のクローラ周方向に沿った長さは、前記スチールコード層のクローラ周方向に沿った長さよりも短くされて、前記一方の周端縁同士と他方の周端縁同士とはクローラ周方向に離れて配置され、前記補強層の両周端部には、前記両補強コード層が互いに非積層状態にある単層部分が各別に形成され、これらの単層部分のうちの少なくとも一方は、前記スチールコード層の両周端部の外周側に配設されるとともに、該一方の単層部分は、前記スチールコード層の両周端縁のうち外周側に位置する外側周端縁をクローラ周方向に跨いでいることを特徴とする。
【０００６】
この発明によれば、補強層の両周端部に形成された各単層部分のうちの一方が、スチールコード層の外側周端縁をクローラ周方向に跨いでいるので、このスチールコード層の両周端部のうち外周側に位置する外側周端部がクローラ厚さ方向の外側に向けて跳ね上がろうとしたときに、この外側周端部を外周側から前記一方の単層部分により押さえ込ませることが可能になる。
しかも、両補強コード層のクローラ周方向に沿った長さが、スチールコード層のクローラ周方向に沿った長さよりも短くされて、前記一方の周端縁同士と他方の周端縁同士とがクローラ周方向に離れて配置され、さらに、補強層の周端部において、両補強コード層が互いに積層された状態にある積層部分ではなく、非積層状態にある単層部分が、スチールコード層の両周端部の外周側に配設されているので、前述の作用効果が奏される反面、ゴムクローラにおいてスチールコード層の両周端部が位置する部分の曲げ剛性が高くなるのを極力抑えることが可能になる。
さらに、両補強コード層にそれぞれ埋設された補強コードの各延在方向が、クローラ周方向およびクローラ幅方向の双方に対して傾斜する方向とされ、かつ両補強コード層それぞれの両周端縁が、当該補強コード層に埋設された補強コードの延在方向に沿って延在しているので、ゴムクローラ本体内において補強層の両周端縁を覆うゴム材料に作用する負荷を抑えつつ、スチールコード層の外側周端部が跳ね上がるのを確実に抑制することができる。
すなわち、例えば補強コードがクローラ幅方向に沿って平行に延在している場合と比べて、前述の跳ね上がりに対する抵抗力を高めることが可能になり、また例えば補強コードがクローラ周方向に沿って平行に延在している場合と比べて、補強コードの端面を補強層の周端縁から露出させ難くすることが可能になり、ゴムクローラ本体内において補強層の両周端縁を覆うゴム材料に作用する負荷を確実に低減することができる。
【０００７】
ここで、前記単層部分のうちの他方は、前記スチールコード層の両周端部の外周側に配設されるとともに、このスチールコード層の両周端縁のうち内周側に位置する内側周端縁をクローラ周方向に跨いでおり、前記補強層の両周端部はそれぞれ、前記スチールコード層の両周端部におけるクローラ周方向の中央部を通りクローラ幅方向に延びる仮想線に対して線対称に配置されてもよい。
この場合、補強層の両周端部がそれぞれ、前記仮想線に対して線対称に配置されているので、このゴムクローラにおいてスチールコード層の両周端部が位置する部分の曲げ剛性がクローラ周方向でばらつくのを抑えることができる。
【０００８】
また、前記ゴムクローラ本体の外周面に複数のラグが突設され、前記スチールコード層の外側周端縁は、ゴムクローラ本体内において前記ラグと対応する位置に配設されてもよい。
この場合、スチールコード層の外側周端縁が、ゴムクローラ本体内においてラグと対応する位置に配設されているので、このスチールコード層の外側周端部が跳ね上がろうとしたことに起因して、ゴムクローラ本体の外周面に応力が集中し亀裂が発生するのを防ぐことができる。
【０００９】
さらに、前記スチールコード層、第１補強コード層および第２補強コード層それぞれのクローラ幅方向中央部は互いに一致させられるとともに、これらの幅は互いに同等、若しくはスチールコード層の幅が第１補強コード層および第２補強コード層の各幅よりも広くなってもよい。
この場合、第１補強コード層および第２補強コード層が全域にわたってスチールコード層により内周側から覆われるので、このゴムクローラの内周面を転輪が通過したときに、第１補強コード層および第２補強コード層それぞれのクローラ幅方向の両端部がクローラ厚さ方向の内側に向けて跳ね上がるのを抑えることが可能になり、この跳ね上がりに起因してゴムクローラ本体の内周面に応力が集中し亀裂が発生するのを防ぐことができる。
【発明の効果】
【００１０】
この発明によれば、スチールコード層の両周端部の曲げ剛性が高くなり過ぎるのを抑えつつ、スチールコード層の外側周端部が跳ね上がるのを抑制することができる。
【発明を実施するための最良の形態】
【００１１】
以下、本発明に係るゴムクローラの一実施形態を、図１〜図４を参照しながら説明する。
例えば、油圧ショベル等の建設機械や農機、その他のクローラ式車両の下部に配設される左右一対のクローラ式走行体１にはそれぞれ、図１に示されるように、駆動輪２１と図示されない従動輪との間に無端帯状に巻回されたゴムクローラ１０が備えられている。なお、図示の例では、ゴムクローラ１０は、内部に芯金が埋設されていないいわゆる芯金レスゴムクローラとなっている。
【００１２】
駆動輪２１はスプロケットとされ、車両フレームに設けられた例えば油圧モータ等の駆動手段により回転可能に支持されている。
前記従動輪は前記車両フレームに回転自在に支持されている。
また、本実施形態では、ゴムクローラ１０の内周面側において駆動輪２１と従動輪との間に位置する部分には、前記車両フレームに回転自在に支持された複数の転輪２２が配置されている。
【００１３】
ゴムクローラ１０は、ゴム材料で無端帯状に成形されたゴムクローラ本体１１を備え、このゴムクローラ本体１１の内周面におけるクローラ幅方向の中央部には、その全周にわたってクローラ周方向に等間隔をあけて複数の駆動突起２４が突設されている。これらの駆動突起２４に、前述の駆動輪２１および従動輪が噛合した状態で、これらの両輪が回転することにより、ゴムクローラ１０がクローラ周方向に送り移動させられるようになっている。なお、ゴムクローラ本体１１の幅は例えば約４５０ｍｍとなっている。
また、ゴムクローラ本体１１の内周面において、駆動突起２４をクローラ幅方向で挟んだ両側に位置する部分は、全周にわたって平滑面とされた転輪通過面Ｓとなっている。そして、この転輪通過面Ｓ上で、複数の転輪２２がゴムクローラ１０の送り移動に伴って軸線回りに転動させられるようになっている。
【００１４】
なお、複数の転輪２２のうち、一部はゴムクローラ１０の内周面において地面側の下側に位置する部分をその上側から支持するように配置されるとともに、残りはゴムクローラ１０の内周面において上側に位置する部分をその下側から支持するように配置されている。前者の転輪２２により、ゴムクローラ１０の外周面において下側に位置する部分を地面に押し付けさせ、また後者の転輪２２により、ゴムクローラ１０において上側に位置する部分を弛まないように支持させるようになっている。
【００１５】
ゴムクローラ本体１１の外周面には、クローラ周方向に間隔をあけて第１ラグ（ラグ）１７および第２ラグ（ラグ）１８がそれぞれ複数ずつ突設されている。第１ラグ１７および第２ラグ１８はそれぞれ、クローラ幅方向に延在している。第１ラグ１７は、クローラ幅方向に沿って連続して延在し、ゴムクローラ本体１１の外周面においてクローラ幅方向の両端部を除いた部分に配設され、第２ラグ１８は、ゴムクローラ本体１１の外周面においてクローラ幅方向の中央部を除いた部分に配設されるようにクローラ幅方向に分断されて延在している。そして、これらの両ラグ１７、１８がゴムクローラ本体１１の外周面にクローラ周方向に沿って交互に配設されている。なお、クローラ周方向で隣り合う両ラグ１７、１８同士の間隔は例えば約１００ｍｍとなっている。
【００１６】
ゴムクローラ本体１１内には、クローラ周方向に延びるスチールコード１２がクローラ幅方向に複数並べられて埋設されたスチールコード層１３と、このスチールコード層１３の外周側に配設されるとともに、クローラ周方向およびクローラ幅方向の双方に対して傾斜する方向に延びる補強コード１６が前記傾斜する方向に交差する方向に複数並べられて埋設された第１補強コード層１４および第２補強コード層１５を備える有端帯状の補強層１９と、が備えられている。なお、補強コード１６は、例えばスチールコード層１３内のスチールコード１２よりも小径のスチールコード、若しくはナイロン等の有機繊維コード等となっている。
【００１７】
スチールコード層１３の両周端部１３ａ、１３ｂは、図２〜図４に示されるように、ゴムクローラ本体１１の厚さ方向に重ね合わされて接続されている。また、スチールコード層１３の両周端縁１３ｃ、１３ｄはそれぞれ、クローラ幅方向に沿って平行に延在している。なお、スチールコード層１３の両周端部１３ａ、１３ｂのクローラ周方向における大きさは例えば１００ｍｍ以上、好ましくは約３００ｍｍとなっている。
また、スチールコード層１３の両周端縁１３ｃ、１３ｄのうち外周側に位置する外側周端縁１３ｃは、図２に示されるように、ゴムクローラ本体１１内において第１ラグ１７と対応する位置に配設されている。
【００１８】
第１補強コード層１４および第２補強コード層１５にそれぞれ埋設された補強コード１６の各延在方向は、互いに逆向きとされるとともに、これらの両補強コード層１４、１５それぞれの両周端縁１４ａ、１４ｂ、１５ａ、１５ｂは、当該補強コード層１４、１５に埋設された補強コード１６の延在方向に沿って延在している。補強コード１６はクローラ幅方向に対して例えば３０°以上６０°以下、好ましくは約３８°傾斜している。
【００１９】
第１補強コード層１４および第２補強コード層１５のクローラ幅方向における各大きさ、つまり幅は互いに同等になっている。さらに、これらの両補強コード層１４、１５の各幅は、スチールコード層１３の幅以下となっている。また、スチールコード層１３および両補強コード層１４、１５それぞれのクローラ幅方向の中央部は、ゴムクローラ本体１１のクローラ幅方向の中央部と一致している。これにより、両補強コード層１４、１５は、全域にわたってスチールコード層１３により内周側から覆われている。なお、スチールコード層１３の幅は、両補強コード層１４、１５の各幅と比べて同等若しくは例えば５ｍｍ以下広くなっている。
【００２０】
また、第１補強コード層１４および第２補強コード層１５の各周長は互いに同等になっている。これらの両補強コード層１４、１５それぞれにおけるクローラ周方向の中央部は、スチールコード層１３のクローラ周方向の中央部と一致している。なお、スチールコード層１３におけるクローラ周方向の中央部は、ゴムクローラ１０をクローラ式走行体１に装着する前の状態で、スチールコード層１３において両周端部１３ａ、１３ｂにクローラ径方向で対向する部分となっている。
【００２１】
さらに、第１補強コード層１４および第２補強コード層１５の各周長は、スチールコード層１３の周長よりも短くなっており、図３および図４に示されるように、両補強コード層１４、１５それぞれにおいて、一方の周端縁１４ａ、１５ａと他方の周端縁１４ｂ、１５ｂとの間にはクローラ周方向に間隔があけられている。また、両補強コード層１４、１５それぞれにおける一方の周端縁１４ａ、１５ａ同士、および他方の周端縁１４ｂ、１５ｂ同士は各別に互いに交差している。図示の例では、両補強コード層１４、１５それぞれにおける一方の周端縁１４ａ、１５ａ同士は各中央部で互いに交差し、また他方の周端縁１４ｂ、１５ｂ同士は各中央部で互いに交差している。
【００２２】
以上のような第１補強コード層１４および第２補強コード層１５を有する補強層１９は、有端帯状に形成されるとともに、その両周端部には、図３および図４（ｂ）に示されるように、両補強コード層１４、１５が互いに非積層状態にある単層部分１９ｃ、１９ｄが各別に形成される。なお、この補強層１９の両周端部は、両補強コード層１４、１５の両周端部１４ｃ、１４ｄ、１５ｃ、１５ｄと一致している。
そして、本実施形態では、補強層１９の両周端部それぞれにおける単層部分１９ｃ、１９ｄのうちの少なくとも一方が、スチールコード層１３の両周端部１３ａ、１３ｂの外周側に配設されるとともに、この一方の単層部分１９ｃが、スチールコード層１３の両周端縁１３ｃ、１３ｄのうち外周側に位置する外側周端縁１３ｃをクローラ周方向に跨いでいる。
【００２３】
図示の例では、他方の単層部分１９ｄも、スチールコード層１３の両周端部１３ａ、１３ｂの外周側に配設されて、スチールコード層１３の内側周端縁１３ｄをクローラ周方向に跨いでいる。
そして、補強層１９の両周端部がそれぞれ、スチールコード層１３の両周端部１３ａ、１３ｂにおけるクローラ周方向の中央部を通りクローラ幅方向に延びる第２仮想線Ｌ２に対して線対称に配置されている。
【００２４】
ここで、両補強コード層１４、１５それぞれの周端部１４ｃ、１４ｄ、１５ｃ、１５ｄは、その平面視において、前記周端縁１４ａ、１４ｂ、１５ａ、１５ｂと、この周端縁１４ａ、１４ｂ、１５ａ、１５ｂの基端１４ｇ、１４ｈ、１５ｇ、１５ｈを通りクローラ幅方向に沿って延びる第１仮想線Ｌ１と、両補強コード層１４、１５の側端縁のうち前記第１仮想線Ｌ１と前記周端縁１４ａ、１４ｂ、１５ａ、１５ｂの先端１４ｉ、１４ｊ、１５ｉ、１５ｊとの間に位置する部分と、により区画される平面視直角三角形状の領域となっている。なお、両補強コード層１４、１５それぞれの周端部１４ｃ、１４ｄ、１５ｃ、１５ｄは全て、互いに同形同大となっている。
【００２５】
また、前述の単層部分１９ｃ、１９ｄは、両補強コード層１４、１５それぞれにおける一方の周端縁１４ａ、１５ａ同士、および他方の周端縁１４ｂ、１５ｂ同士が各別に互いに交差した交差部Ａ、Ｂと、前記先端１４ｉ、１４ｊ、１５ｉ、１５ｊと、この先端１４ｉ、１４ｊ、１５ｉ、１５ｊを有する周端縁１４ａ、１４ｂ、１５ａ、１５ｂに交差する他の周端縁１５ａ、１５ｂ、１４ａ、１４ｂにおける前記基端１５ｇ、１５ｈ、１４ｇ、１４ｈと、を頂点に有する平面視二等辺三角形状の領域が、交差部Ａ、Ｂを介してクローラ幅方向に２つ連なった領域となっている。
【００２６】
また、各単層部分１９ｃ、１９ｄにおいて、前記交差部Ａ、Ｂから前記先端１４ｉ、１４ｊ、１５ｉ、１５ｊ側に位置する部分が、スチールコード層１３の両周端部１３ａ、１３ｂの外周側に配設されている。さらにまた、前記先端１４ｉ、１４ｊ、１５ｉ、１５ｊは、スチールコード層１３の両周端部１３ａ、１３ｂにおけるクローラ周方向の中央部よりもこの先端１４ｉ、１４ｊ、１５ｉ、１５ｊを有する前記周端縁１４ａ、１４ｂ、１５ａ、１５ｂの基端１５ｇ、１５ｈ、１４ｇ、１４ｈ側に離れて配設されている。これにより、前記単層部分１９ｃ、１９ｄは、スチールコード層１３の両周端部１３ａ、１３ｂのうち、クローラ周方向の中央部を被覆せず、クローラ周方向の両側部分を被覆している。
【００２７】
さらに、前記交差部Ａ、Ｂは、図３および図４（ａ）に示されるように、スチールコード層１３の両周端縁１３ｃ、１３ｄの外周側に各別に配設されている。また、各単層部分１９ｃ、１９ｄはそれぞれ、スチールコード層１３の両周端縁１３ｃ、１３ｄを各別にクローラ幅方向の全長にわたって外周側から覆っている。
【００２８】
以上説明したように、本実施形態によるゴムクローラ１０によれば、補強層１９の両周端部に形成された各単層部分１９ｃ、１９ｄのうちの一方が、スチールコード層１３の外側周端縁１３ｃをクローラ周方向に跨いでいるので、このスチールコード層１３の両周端部１３ａ、１３ｂのうち外周側に位置する外側周端部１３ａがクローラ厚さ方向の外側に向けて跳ね上がろうとしたときに、この外側周端部１３ａを外周側から一方の単層部分１９ｃにより押さえ込ませることが可能になる。
【００２９】
しかも、両補強コード層１４、１５のクローラ周方向に沿った長さが、スチールコード層１３のクローラ周方向に沿った長さよりも短くされて、前記一方の周端縁１４ａ、１５ａ同士と他方の周端縁１４ｂ、１５ｂ同士とがクローラ周方向に離れて配置され、さらに、補強層１９の両周端部それぞれにおいて、両補強コード層１４、１５が互いに積層された状態にある積層部分ではなく、非積層状態にある単層部分１９ｃ、１９ｄが、スチールコード層１３の両周端部１３ａ、１３ｂの外周側に配設されているので、前述の作用効果が奏される反面、ゴムクローラ１０においてスチールコード層１３の両周端部１３ａ、１３ｂが位置する部分の曲げ剛性が高くなるのを極力抑えることが可能になる。
【００３０】
さらに、両補強コード層１４、１５にそれぞれ埋設された補強コード１６の各延在方向が、クローラ周方向およびクローラ幅方向の双方に対して傾斜する方向とされ、かつ両補強コード層１４、１５それぞれの両周端縁１４ａ、１４ｂ、１５ａ、１５ｂが、当該補強コード層１４、１５に埋設された補強コード１６の延在方向に沿って延在しているので、ゴムクローラ本体１１内において補強層１９の両周端縁を覆うゴム材料に作用する負荷を抑えつつ、スチールコード層１３の外側周端部１３ａが跳ね上がるのを確実に抑制することができる。
【００３１】
すなわち、例えば補強コード１６がクローラ幅方向に沿って平行に延在している場合と比べて、前述の跳ね上がりに対する抵抗力を高めることが可能になり、また例えば補強コード１６がクローラ周方向に沿って平行に延在している場合と比べて、補強コード１６の端面を補強層１９の周端縁から露出させ難くすることが可能になり、ゴムクローラ本体１１内において補強層１９の両周端縁を覆うゴム材料に作用する負荷を確実に低減することができる。
【００３２】
また、本実施形態では、補強層１９の両周端部がそれぞれ、前記第２仮想線Ｌ２に対して線対称に配置されているので、このゴムクローラ１０においてスチールコード層１３の両周端部１３ａ、１３ｂが位置する部分の曲げ剛性がクローラ周方向でばらつくのを抑えることができる。
さらに、スチールコード層１３の外側周端縁１３ｃが、ゴムクローラ本体１１内において第１ラグ１７と対応する位置に配設されているので、このスチールコード層１３の外側周端部１３ａが跳ね上がろうとしたことに起因して、ゴムクローラ本体１１の外周面に応力が集中し亀裂が発生するのを防ぐことができる。
【００３３】
さらに、第１補強コード層１４および第２補強コード層１５が全域にわたってスチールコード層１３により内周側から覆われるので、このゴムクローラ１０の内周面を転輪２２が通過したときに、第１補強コード層１４および第２補強コード層１５それぞれのクローラ幅方向の両端部がクローラ厚さ方向の内側に向けて跳ね上がるのを抑えることが可能になり、この跳ね上がりに起因してゴムクローラ本体１１の内周面に応力が集中し亀裂が発生するのを防ぐことができる。
【００３４】
なお、本発明の技術的範囲は前記実施の形態に限定されるものではなく、本発明の趣旨を逸脱しない範囲において種々の変更を加えることが可能である。
例えば、前記実施形態では、ゴムクローラ本体１１の内周面におけるクローラ幅方向の中央部に、その全周にわたってクローラ周方向に等間隔をあけて複数の駆動突起２４を突設したが、これに代えて、ゴムクローラ本体１１に駆動輪２１が噛合する噛み合い孔を形成してもよい。
また、前記実施形態では、芯金レスゴムクローラを示したが、ゴムクローラ本体１１の内部に芯金が埋設されたゴムクローラを採用してもよい。
【００３５】
さらに、前記実施形態では、補強層１９の両周端部に位置する各単層部分１９ｃ、１９ｄの双方が、スチールコード層１３の両周端部１３ａ、１３ｂの外周側に配設された構成を示したが、これらのうち一方の単層部分１９ｃだけを、スチールコード層１３の両周端部１３ａ、１３ｂの外周側に配設してもよい。
【００３６】
また、前記実施形態では、他方の単層部分１９ｄが、スチールコード層１３の内側周端縁１３ｄをクローラ周方向に跨いだ構成を示したが、この単層部分１９ｄは、例えばスチールコード層１３において、内側周端縁１３ｄまで到達させずに両周端部１３ａ、１３ｂのクローラ周方向の外側に位置させてもよい。
さらに、前記実施形態では、補強層１９の両周端部がそれぞれ、前記第２仮想線Ｌ２に対して線対称に配置された構成を示したが、これに限らず、補強層１９の両周端部をそれぞれ第２仮想線Ｌ２に対して非対称に配置してもよい。
【００３７】
また、前記実施形態では、スチールコード層１３の外側周端縁１３ｃを、ゴムクローラ本体１１内において第１ラグ１７と対応する位置に配設したが、これに代えて、第２ラグ１８と対応する位置に配設してもよいし、あるいは第１ラグ１７と第２ラグ１８との間と対応する位置に配設してもよい。
さらに、スチールコード層１３、第１補強コード層１４および第２補強コード層１５それぞれのクローラ幅方向に沿った配設位置、クローラ周方向に沿った配設位置、各幅および各周長は前記実施形態に限らず適宜変更してもよい。
【００３８】
また、前記実施形態では、両補強コード層１４、１５それぞれにおける一方の周端縁１４ａ、１５ａ同士が各中央部で互いに交差し、また他方の周端縁１４ｂ、１５ｂ同士が各中央部で互いに交差した構成を示したが、この交差する位置は適宜変更してもよい。
さらに、前記実施形態では、補強層１９として、第１補強コード層１４および第２補強コード層１５だけを備える構成を示したが、これらの補強コード層１４、１５に加えて他の補強コード層を備える構成を採用してもよい。
【００３９】
さらに、前記実施形態では、図３および図４（ａ）に示したように、前記交差部Ａ、Ｂを、スチールコード層１３の両周端縁１３ｃ、１３ｄの外周側に各別に配設したが、これに代えて図５に示されるように、前記単層部分１９ｃ、１９ｄの一部を、スチールコード層１３の両周端部１３ａ、１３ｂの外周側に位置させつつ、前記交差部Ａ、Ｂを、スチールコード層１３の両周端部１３ａ、１３ｂからクローラ周方向の外側に離して配設してもよい。
また、前記実施形態では、転輪通過面Ｓをゴムクローラ本体１１の内周面に左右一対形成したが、３つ以上形成してもよい。
【００４０】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００４１】
スチールコード層の両周端部の曲げ剛性が高くなり過ぎるのを抑えつつ、スチールコード層の外側周端部が跳ね上がるのを抑制することができる。
【図面の簡単な説明】
【００４２】
【図１】本発明に係る一実施形態として示したゴムクローラの一部断面を含む斜視図である。
【図２】図１に示すゴムクローラのクローラ周方向に沿った横断面図であって、スチールコード層の両周端部と第１ラグおよび第２ラグとの位置関係を示す概略図である。
【図３】図１に示すゴムクローラのクローラ周方向に沿った横断面図であって、スチールコード層の両周端部と両補強コード層の両周端部との位置関係を示す概略図である。
【図４】図３に示すゴムクローラの（ａ）Ｘ−Ｘ線矢視断面図および（ｂ）Ｙ−Ｙ線矢視断面図である。
【図５】本発明に係る他の実施形態として示したゴムクローラのクローラ周方向に沿った横断面図であって、スチールコード層の両周端部と両補強コード層の両周端部との位置関係を示す概略図である。
【符号の説明】
【００４３】
１０  ゴムクローラ
１１  ゴムクローラ本体
１２  スチールコード
１３  スチールコード層
１３ａ、１３ｂ  スチールコード層の両周端部
１３ｃ  スチールコード層の外側周端縁
１３ｄ  スチールコード層の内側周端縁
１４  第１補強コード層
１４ａ  第１補強コード層の一方の周端縁
１４ｂ  第１補強コード層の他方の周端縁
１４ｃ  第１補強コード層の一方の周端部
１４ｄ  第１補強コード層の他方の周端部
１５  第２補強コード層
１５ａ  第２補強コード層の一方の周端縁
１５ｂ  第２補強コード層の他方の周端縁
１５ｃ  第２補強コード層の一方の周端部
１５ｄ  第２補強コード層の他方の周端部
１６  補強コード
１７  第１ラグ（ラグ）
１８  第２ラグ（ラグ）
１９  補強層
１９ｃ  一方の単層部分
１９ｄ  他方の単層部分
Ｌ１  第１仮想線
Ｌ２  第２仮想線（仮想線）
【図１】
2010047080.tif 000003
【図２】
2010047080.tif 000004
【図３】
2010047080.tif 000005
【図４】
2010047080.tif 000006
【図５】
2010047080.tif 000007